(57)【要約】【課題】売場環境に合わせて簡単に使い分けができたり、載せる情報の使い分け、シーズンやキャンペーンに合わせて差し替えができるなどいろいろな展開ができるようにし、併せてコストも十分に抑えることができるようにする。【解決手段】紙材を折曲げて前後左右の側壁４，５，６及び上下辺にフラップ８，１０Ａと蓋板部７、底板部１０を備え、且つ、後ろ側の側壁５から一体に上方へヘッダー１３が延設されていて、このヘッダー１３に吊下げ用孔１４が設けらてなる容器本体２と、この容器本体２の外形よりも大きな面積を有してその上辺近くには容器本体２の前記ヘッダー１３を表側から裏側へ挿通できる横方向のスリット１８が設けられていると共に、このスリット１８の上方には吊下げ用孔１７が設けらてなる台紙３とを備えている。【選択図】      図１
2006264738.tif 000002
【特許請求の範囲】
【請求項１】
紙材或いは合成樹脂シート材を折曲げて前後左右の側壁及び上下辺にそれぞれフラップと
蓋板部を備え、且つ、後ろ側の側壁から上方へ一体にヘッダーが延設されていて、このヘ
ッダーに吊下げ用孔が設けらてなる容器本体と、この容器本体の外形よりも大きな面積を
有してその上辺近くには容器本体の前記ヘッダーを表側から裏側へ挿通できる横方向のス
リットが設けられていると共に、このスリットの上方には吊下げ用孔が設けらてなる台紙
とからなることを特徴とする吊下げタイプの包装用容器。
【請求項２】
容器本体の下部とこれに対応する台紙下部との間に、この容器本体を台紙に止め付ける簡
易接着手段が設けられた請求項１記載の吊下げタイプの包装用容器。
【請求項３】
簡易接着手段は、台紙の下辺であって、上部の吊下げ用孔に対応する部位に、容器本体の
底面フラップの間に差し込まれるように一体に設けられた舌片である請求項１又は２のい
ずれかに記載の吊下げタイプの包装用容器。
【請求項４】
簡易接着手段は両面テープ若しくは面ファスナーのいずれかである請求項１又は２のいず
れかに記載の吊下げタイプの包装用容器。
【請求項５】
簡易接着手段である両面テープ若しくは面ファスナーは舌片表面若しくは舌片表面と容器
本体の底板部に設けられている請求項１〜２又は４のいずれかに記載の吊下げタイプの包
装用容器。
【発明の詳細な説明】
【技術分野】
【０００１】
本発明は、商品を個別に包装して、陳列棚のフックなどに吊下げて陳列販売する吊下げ
タイプの包装用容器に関する。
【背景技術】
【０００２】
この種商品を個別に包装して、陳列棚のフックなどに吊下げて陳列販売する容器として
は、吊下げ孔付きのヘッダーを備えて箱型に形成された包装用容器と、吊下げ孔付きの台
紙に商品の収納部のあるパック本体を固定してなる所謂ブリスターパックと呼ばれる二種
類がある。
【特許文献１】登録実用新案第３０２６５６１号公報
【特許文献２】実用新案公開平６−１８２３４号公報
【特許文献３】特許公開平２０００−２３８７８９号公報
【特許文献４】特許公開平２００５−１７５１号公報
【特許文献５】特許公開平２００４−１４９１３９号公報
【発明の開示】
【発明が解決しようとする課題】
【０００３】
このような従来の製品は、包装用容器にしてもブリスターパックにしても、何れも商品
デザインや情報を掲載するスペースが限られている場合が多い。つまりは、設計段階から
包装される商品の大きさに合わせて包装用容器や台紙或いはパック本体が形成されるので
、完成品は殆どの場合に余分なスペースは存在しないのが現状である。
【０００４】
一方、近年消費者は商品の各種多様な情報を求める傾向があり、また、生産者もこの要
望に応えなければ淘汰される現状があり、更には差別化を図って販売促進の実を上げるよ
うとする思いもある。その結果、商品デザインや情報を掲載するスペースを増大化したい
要望がある。
【０００５】
ところで、このスペースを大きくしたい場合には、従来の考え方からすれば、ヘッダー
部分を大きくするか若しくは箱本体を収納商品よりも大きく作る手法が一般的には考えら
れ、また、実際に実施されている。
しかし、上述の手法では、省スペース、つまり空間率の問題や紙取り及び製函方法など
に起因してコストアップを招来するおそれがある。現実問題として、特に陳列展示スペー
スの少ないコンビニエンスストアーでは省スペースの面で採用し難い。逆に陳列展示スペ
ースに余裕のある量販店や郊外のコンビニエンスストアーでは展示、販促効果を期待でき
る点でメリットがあり、互いに相容れない要望がある。
【０００６】
本発明者等は、これら従来の手法の問題点を解決すべく、種々検討を重ねた。その結果
、陳列展示スペースの少ないコンビニエンスストアーなどでは小さく陳列展示して省スペ
ースを確保でき、逆は量販店などでは大きく見せることができるようにし、売場環境に合
わせて使い分けができる包装用容器を開発したので、ここに提案する。
【０００７】
したがって、本発明の課題は、売場環境に合わせて簡単に使い分けができたり、載せる
情報の使い分け、シーズンやキャンペーンに合わせて差し替えができるなどいろいろな展
開ができるようにし、併せてコストも十分に抑えることができるようにする点にある。
【課題を解決するための手段】
【０００８】
以上の技術的な課題を解決するために、本発明の請求項１に係る吊下げ用包装用容器は
、紙材或いは合成樹脂シート材を折曲げて前後左右の側壁及び上下辺にそれぞれフラップ
と蓋板部を備え、且つ、後ろ側の側壁から上方へ一体にヘッダーが延設されていて、この
ヘッダーに吊下げ用孔が設けらてなる容器本体と、この容器本体の外形よりも大きな面積
を有してその上辺近くには容器本体の前記ヘッダーを表側から裏側へ挿通できる横方向の
スリットが設けられていると共に、このスリットの上方には吊下げ用孔が設けらてなる台
紙とからなるものである。
【０００９】
上記のような構成によれば、例えばコンビニエンスストアーなどの陳列展示スペースが
少ない売場にあっては、容器本体だけをそのヘッダーに設けられている吊下げ用孔を陳列
棚のフックに通して陳列展示する。また、量販店などの陳列展示スペースが広い売場では
、台紙の前面側から背面側にそのスリットに容器本体のヘッダーを挿通させ、夫々の吊下
げ用孔を合わせることによって陳列棚のフックに通し、大きな面積を備えた台紙付きで容
器本体を陳列展示する。
【発明の効果】
【００１０】
したがって、この発明は以下の効果を奏する。
以上説明したように、本発明の請求項１に係る吊下げタイプの包装用容器は、陳列展示
スペースの少ない売場環境では、容器本体のみを陳列展示できるので、省スペースに大い
に貢献する。一方、陳列展示スペースの広い或いは十分な売場環境では、専用のアダプタ
ー、つまり大面積を備える台紙を容器本体に装着して一体に陳列展示できるので、キャン
ペーン告知や商品の情報などを付加した状態での販売が可能になる。このように、売場環
境の状況に応じた使い分けが、単に台紙を容器本体に装着するかしないかの簡便な作業で
行なえ、しかも構造的にも台紙にスリットを設けるといった簡便な手段で達成でき、した
がってまた大変廉価に提供できる。
【００１１】
以上の構成において、この発明では請求項２に記載のように、容器本体の下部とこれ
に対応する台紙下部との間に、この容器本体を台紙に止め付ける簡易接着手段が設けられ
るのが望ましい。
特に台紙を採用した陳列展示の際に、容器本体の下方が台紙表面から浮き上がるのを上
手く防止してくれるからである。
【００１２】
また、この発明では、請求項３に記載のように、簡易接着手段は、台紙の下辺であって
、上部の吊下げ用孔に対応する部位に、容器本体の底面フラップの間に差し込まれるよう
に一体に設けられた舌片であるのが望ましい。
この舌片は容器が必然的に備えている底面のフラップの間に差し込まれるだけで、舌片
と容器本体との特別な接続手段を別途必要とせず、一層のコストダウンを図れるからであ
る。
【００１３】
更に、この発明では請求項４に記載のように、簡易接着手段は両面テープ若しくは面フ
ァスナーのいずれかであったり、また、請求項５に記載のように、簡易接着手段である両
面テープ若しくは面ファスナーは舌片表面若しくは舌片表面と容器本体の底板部に設けら
れているのが望ましい。
両面接着テープや面ファスナーなどの簡易な接着手段を用いて一体的に連結することで
、台紙と容器本体の連結を強固にし、重い商品でもしっかりと陳列展示でき、併せて容器
本体の底の形状構造に左右されること無くどのような構造にも対応でき、適用範囲を拡大
できる上に、一層廉価に提供できるからである。
【発明を実施するための最良の形態】
【００１４】
売場環境に合わせて簡単に使い分けができたり、載せる情報の使い分け、シーズンやキ
ャンペーンに合わせて差し替えができるなどいろいろな展開ができるようにし、併せてコ
ストも十分に抑えることができるようにするという目的を、格段に簡素な構造と簡便な取
り扱い手法によって実現した。
【実施例１】
【００１５】
本発明に係る吊下げタイプの包装用容器の第１の実施例について、図１〜図５を参照し
ながら以下具体的に説明する。
【００１６】
図１は、この第１の実施例に係る吊下げタイプの包装用容器の全体の外観図である。
吊下げタイプの包装用容器１は、容器本体２と、この容器本体２の外形よりも大きな面
積（図例では容器本体２の横幅のほぼ倍の横寸法を備えている）を有していて、この容器
本体２に連結される台紙３とから構成されている。
【００１７】
この容器本体２は、図３の展開図に示すように、紙素材を型で抜くことによリ、前側の
側壁４及び後ろ側の側壁５、そして左右の側壁６、更に前側の側壁４の上辺に連なる蓋板
部７、左右の側壁６の上辺に連なるフラップ８、後ろ側の側壁５の側縁に連なる糊代９が
一体に備わり、また、前後の側壁４，５の下辺からは下方に底板部１０が一体に連なり、
更に左右の側壁６の下辺からはフラップ１０Ａが一体に連なって所定形状に形成される。
また、この型抜きの際に、同時に各折目線１１が形成される。
【００１８】
そして、底板部１０は、次のように構成される。
すなわち、前側の側壁４に連なる側の底板部１０Ｂの延設遊端に受け入れ凹入部１０Ｂ
１が備わり、また、後ろ側の側壁５に連なる側の底板部１０Ｃの延設遊端に幅狭な差込突
片１０Ｃ１が備わり、更に左右の側壁６のフラップ１０Ａには、前記前側の側壁４に連な
る側の底板部１０Ｂの受け入れ凹入部１０Ｂ１に係止される係止突部１０Ａ１が設けられ
ている。
【００１９】
したがって、先ず前側の側壁４に連なる側の底板部１０Ｂを内側に折込み、次いで左右
のフラップ１０Ａを内側に折込みつつ、その係止突部１０Ａ１を前記前側の側壁４に連な
る側の底板部１０Ｂの受け入れ凹入部１０Ｂ１に係止させ、最後に後ろ側の側壁５に連な
る側の底板部１０Ｃを内側に折込み、遊端の差込突片１０Ｃ１を前側の側壁４に連なる側
の底板部１０Ｂの受け入れ凹入部１０Ｂ１の内側に差し込む。このようにして底板部１０
が組み立てられる。
なお、図中１２は切り込みで、蓋板部７とこれに連なる差込片７Ａとの間に設けられる
。
【００２０】
また、後ろ側の側壁５の上辺からは上方へ続く突片部（以下単にヘッダーという）１３
が一体に連なる。このヘッダー１３は基部１３Ａに続いて折り返し部１３Ｂが備わり、こ
の折り返し部１３Ｂは基部１３Ａの上縁から前面側に折り返されて、このヘッダー１３が
二重となるように構成されている。補強のためである。また、このヘッダー１３にはその
基部１３Ａと折り返し部１３Ｂとを前後に貫通する吊下げ用孔１４が穿たれている。折り
返し部１３Ｂの上下寸法は、前面側に折り返した際、容器本体２の組み立て後において、
その下端縁が上部開口２Ａを閉塞した際の蓋板部７の存在位置よりも更に容器本体２の内
側に挿入されるように設定されている。
【００２１】
更に、前側の側壁４から左右の側壁６にわたって、その上下方向の中間部分に、透明な
フィルム１５で覆われた透かし窓１６が設けられていて、商品を容器本体２の外からも良
く見えるように形成されている。
【００２２】
次に、台紙３は、容器本体２の左右幅寸法のほぼ２倍の横幅を備えると共に、上下寸法
は、この容器本体２のほぼ１．２倍ほどに形成されていて、紙素材を打ち抜いて得られる
。また、この打ち抜きの際、この台紙３の幅方向左側に寄った位置で、その上方には吊下
げ用孔１７が穿たれている。更にこの吊下げ用孔穴１７のやや下方には横方向のスリット
１８が穿たれている。このスリット１８は、容器本体２のヘッダー１３の横幅よりもやや
長目に穿たれていて、このヘッダー１３を台紙３の前面側から後ろ側へ挿通できるように
形成されている。
【００２３】
そして、このスリット１８の上下幅は、ヘッダー１３をこのスリット１８に挿通させた
後に、容器本体２が、図１に示すように、ほぼ垂下姿勢になるようにやや幅広に形成され
ている。具体的な一例としては、前記ヘッダー１３の横幅は約２９ｍｍ、スリット１８の
横幅は約３２ｍｍ、上下幅は３ｍｍである。
【００２４】
また、容器本体２の吊下げ用孔１４と台紙３の吊下げ用孔１７とは、この容器本体のヘ
ッダー１３を台紙３のスリット１８に挿通した際、上手く前後方向で合致するように、上
辺からそれぞれ等寸法位置に穿たれている。つまり、ヘッダー１３の基部１３Ａと折り返
し部１３Ｂとの折曲げ線から吊下げ用孔１４の中心までの寸法と、台紙３の上辺から吊下
げ用孔１７の中心までの寸法が同じに設定されている。更に重要なことは、台紙３のこの
吊下げ用孔１７の中心からスリット１８までの上下方向の寸法が前記ヘッダー１３の吊下
げ用孔１４の中心から基部１３Ａと後ろ側の側壁５の境界線までの寸法よりも短く設定さ
れることである。
【００２５】
また、この台紙３の下辺３Ａには、上部の吊下げ用孔１７に対応する部位に容器本体２
に一体的に連結されてこれを支える、簡易連結手段Ｅの一例である舌片１９が下方に向か
って一体に突設され、折曲げ線２０によって前方側へ折り曲げることができるように構成
されている。そして、この舌片１９は、図５に示すように、容器本体２の底面フラップ１
０Ａ、更には前側の側壁４に連なる側の底板部１０Ｂの間に差し込まれて容器本体２を下
方から支えるように働くものである。
【００２６】
このように構成された吊下げタイプの包装用容器１は、まず陳列展示スペースの少ない
コンビニエンスストアーなどでは、図２に示すように、容器本体２だけを、その吊下げ用
孔１４に、陳列棚の釘や吊下げ用の棒状ハンガーなどを貫挿して吊下げる。容器本体２だ
けの陳列展示であるから、省スペースを図ることができ、望ましい陳列展示を可能にする
。
【００２７】
一方、量販店など陳列展示スペースに余裕のある売場環境では、図５に示すように、台
紙３のスリット１８に容器本体２のヘッダー１３を差込み、両者の吊下げ用孔１４，１７
の位置合わせを行い、また、容器本体２の底板部１０の前側の側壁４に連なる側の底板部
１０Ｂの内側に、後ろ側の側壁５に連なる側の底板部１０Ｃを係止するのと同様に、この
台紙３の下部の前記舌片１９を差込み、容器本体２を下方から支えるようにする。次いで
、図１に示すように、容器本体２と台紙３のそれぞれの吊下げ用孔１４，１７に、陳列棚
の釘や吊下げ用の棒状ハンガーなどを貫挿して吊下げる。容器本体２と共に大面積を備え
た台紙３も陳列展示できるので、展示物を大きく見せたり、情報を十二分に掲載できたり
、或いはシーズンやキャンペーンに合わせて差し替えたりでき、展示効果、更には販促効
果を大いに高めることができる。
【００２８】
尚、容器本体２と台紙３は共に紙を素材としているが、合成樹脂シート材であっても同
様の効果を得ることができる。
【００２９】
また、台紙３の舌片１９と容器本体２との連結構造は、図示された以外にも、以下のよ
うな簡易接着手段Ｅを採用できる。
すなわち、例えば、図６に示すように、容器本体２の後ろ側の側壁５の外面や底板部１
０の外面或いは舌片１９の裏面若しくは表面に両面接着テープ２１を貼着しておき、この
両面接着テープ２１を介して互いに連結捨ても良い。更には、図７に示すように、前記と
同じ箇所に面ファスナー２２を貼着しておくこともできる。尚、図示は、舌片１９の表面
に両面テープ２１を設けた場合と（図６）、舌片１９の表面と容器本体２の底板部１０と
に面ファスナー２２を設けた場合（図７）とを示している。
【００３０】
更に、底板部１０の構造も、図８に示すような蓋片２３を備えたものであっても良く、
図９に示すように、前側の側壁４、後ろ側の側壁５、そして左右の側壁６からそれぞれ延
設した四枚のフラップ２４を貼り合わせる形式のものであっても良い。
【図面の簡単な説明】
【００３１】
【図１】本発明に係る吊下げタイプの包装用容器の台紙と組み合わせて陳列展示する場合の全体外観図である。
【図２】容器本体のみを陳列展示する場合の全体外観図である。
【図３】容器本体の展開である。
【図４】台紙の正面図である。
【図５】図１に示す陳列展示形式を採用する際の組立作用図である。
【図６】簡易接着手段の一例を示し、両面テープを用いた場合の要部の外観図である。
【図７】簡易接着手段の一例を示し、面ファスナーを用いた場合の要部の外観図である。
【図８】底板部の変形例を示す要部の展開図である。
【図９】底板部の更に別の変形例を示す要部の展開図である。
【符号の説明】
【００３２】
１…包装用容器
２…容器本体
３…台紙
１３…ヘッダー
１４…ヘッダーの吊下げ用孔
１７…台紙の吊下げ用孔
１９…舌片
Ｅ…簡易接着手段
【図１】
2006264738.tif 000003
【図２】
2006264738.tif 000004
【図３】
2006264738.tif 000005
【図４】
2006264738.tif 000006
【図５】
2006264738.tif 000007
【図６】
2006264738.tif 000008
【図７】
2006264738.tif 000009
【図８】
2006264738.tif 000010
【図９】
2006264738.tif 000011